(57)【要約】【課題】内線端末の回線キーに対応する他ノードの内線の状態表示、他ノードの内線へのダイレクト着信、着信転送等の付加的なサービスを、制御信号用伝送路の負荷を極力軽減して効率良く実現できるようにする。【解決手段】ボタン電話主装置ＢＴ１からボタン電話主装置ＢＴ２に対し、状態変化のあった内線端末Ｔ１１〜Ｔ１ｉの状態情報をＬＡＮ１を介して送信する。そして、ボタン電話主装置ＢＴ１において、ボタン電話主装置ＢＴ２からＬＡＮ１を介して送られた内線端末Ｔ２１〜Ｔ２ｍ，Ｔ３１，Ｔ４１〜Ｔ４ｋそれぞれの状態情報に基づき、ノード情報管理テーブル１４３中の内線端末Ｔ２１〜Ｔ２ｍ，Ｔ３１，Ｔ４１〜Ｔ４ｋに該当する状態情報の登録内容を更新する。【選択図】    図１
2004274392.tif 000002
【特許請求の範囲】
【請求項１】
終端に内線端末を接続できる少なくとも１つの内線を収容する２以上の電話交換装置と
前記複数の電話交換装置間を接続し、リアルタイム性が要求される第１の信号を伝送する第１の信号伝送路と、
この第１の信号伝送路とは独立して前記複数の電話交換装置間を接続し、前記第１の信号に比べてリアルタイム性が要求されない第２の信号を伝送する第２の信号伝送路とを具備し、
前記複数の電話交換装置の各々は、
自装置に収容される全内線端末のうち少なくとも一部を指定する複数の操作キー及びこれら操作キーそれぞれに対応する内線端末の動作状態を示す第１の状態情報、及び他装置に収容される全内線端末のうち少なくとも一部を指定する複数の操作キー及びこれら操作キーそれぞれに対応する内線端末の動作状態を示す第２の状態情報を記録媒体に記憶する記憶手段と、
自装置に収容される全内線端末の動作状態変化を検出する状態変化検出手段と、
この状態変化検出手段による検出結果に基づいて、前記記録媒体中の前記第１の状態情報の記憶内容を更新する第１の更新手段と、
他の複数の電話交換装置に対し前記第１の更新手段により更新された前記記録媒体中の前記第１の状態情報を前記第２の信号として前記第２の信号伝送路を介して送信する状態情報送信手段と、
他の電話交換装置から前記第２の信号伝送路を介して送られた第２の状態情報を受信する受信手段と、
この受信手段による受信結果に基づいて、前記記録媒体中の前記第２の状態情報の記憶内容を更新する第２の更新手段とを備えたことを特徴とする交換ネットワークシステム。
【請求項２】
前記状態情報送信手段は、前記第１の更新手段により前記記録媒体中の前記第１の状態情報が更新された時点で、該第１の状態情報を送信することを特徴とする請求項１記載の交換ネットワークシステム。
【請求項３】
前記状態情報送信手段は、
前記第１の更新手段により前記記録媒体中の前記第１の状態情報が更新された時点で、他の複数の電話交換装置に対し該第１の状態情報を前記第２の信号伝送路を介して送信する第１の送信モードと、
所定時間ごとに他の複数の電話交換装置に対し前記第２の状態情報の取得要求を前記第２の信号伝送路を介して送信する第２の送信モードと、
所定の条件に応じて、前記第１及び第２の送信モードを選択的に実行させるモード選択制御手段とを備えたことを特徴とする請求項１記載の交換ネットワークシステム。
【請求項４】
前記モード選択制御手段は、所定の条件の判断に前記第２の信号伝送路の単位時間当たりの伝送情報量を用いることを特徴とする請求項３記載の交換ネットワークシステム。
【請求項５】
前記第２の信号伝送路を伝送する第２の信号は、ＵＤＰ（Ｕｓｅｒ  Ｄａｔａｇｒａｍ  Ｐｒｏｔｏｃｏｌ）で規定される信号であることを特徴とする請求項１記載の交換ネットワークシステム。
【請求項６】
前記第１の信号伝送路は、音声信号を伝送するデジタル専用線であり、
前記第２の信号伝送路は、制御信号を伝送するローカルエリア・ネットワークであることを特徴とする請求項１記載の交換ネットワークシステム。
【請求項７】
前記請求項１に記載の交換ネットワークシステムで使用される電話交換装置であって、
自装置に収容される全内線端末のうち少なくとも一部を指定する複数の操作キー及びこれら操作キーそれぞれに対応する内線端末の動作状態を示す第１の状態情報、及び他装置に収容される全内線端末のうち少なくとも一部を指定する複数の操作キー及びこれら操作キーそれぞれに対応する内線端末の動作状態を示す第２の状態情報を記録媒体に記憶する記憶手段と、
自装置に収容される全内線端末の動作状態変化を検出する状態変化検出手段と、
この状態変化検出手段による検出結果に基づいて、前記記録媒体中の前記第１の状態情報の記憶内容を更新する第１の更新手段と、
他の複数の電話交換装置に対し前記第１の更新手段により更新された前記記録媒体中の前記第１の状態情報を前記第２の信号として前記第２の信号伝送路を介して送信する状態情報送信手段と、
他の電話交換装置から前記第２の信号伝送路を介して送られた第２の状態情報を受信する受信手段と、
この受信手段による受信結果に基づいて、前記記録媒体中の前記第２の状態情報の記憶内容を更新する第２の更新手段とを備えたことを特徴とする電話交換装置。
【発明の詳細な説明】
【０００１】
【発明の属する技術分野】
この発明は、例えばデジタル専用線を介して複数の電話交換装置間を接続し、これら電話交換装置間で交換サービスに係わる処理を実行する交換ネットワークシステム及びその電話交換装置に関する。
【０００２】
【従来の技術】
ネットワークシステムは、例えば複数の支店や営業所を有する企業内において、各支店または営業所にそれぞれＰＢＸ（Ｐｒｉｖａｔｅ  Ｂｒａｎｃｈ  Ｅｘｃｈａｎｇｅ）またはボタン電話主装置といった電話交換装置を設置してこれらの電話交換装置間を専用線を介して接続したものである。この種のシステムでは、各電話交換装置ごとに内線間通信や公衆網等の局線発着信を行なえることは勿論のこと、異なる電話交換装置間での内線通信や異なる電話交換装置を経由した局線発着信を行なうことができる。
【０００３】
ところで、近年では、上記電話交換装置の高機能化に伴い、収容される内線端末の回線キーであるＤＳＳ（Ｄｉｒｅｃｔ  Ｓｔａｔｉｏｎ  Ｓｅｌｅｃｔｉｏｎ）キーを押下すると、関連付けられた他ノード（他の電話交換装置）の内線の状態を表示したり、その内線にダイレクト着信したり、着信転送を行ってすることができるサービスの実施も検討されている（例えば特許文献１乃至特許文献３）。
【０００４】
しかしながら、上記システムでは、上記サービスを実行している間、専用線を占有することとなり、例えば音声信号の伝送等に影響を及ぼすことになる。
そこで、複数の電話交換装置間を専用線で接続するとともに、ＬＡＮ（Ｌｏｃａｌ  Ａｒｅａ  Ｎｅｔｗｏｒｋ）で接続し、専用線における音声信号等のリアルタイム性が要求される信号の伝送と、ＬＡＮにおける制御信号等のリアルタイム性に余裕がある信号の伝送とをそれぞれ独立して並列的に制御するようにした交換ネットワークシステムが提案されている。
【０００５】
【特許文献１】
特開２００２−１０１１９７号公報。
【０００６】
【特許文献２】
特開２００２−１５２２２４号公報。
【０００７】
【特許文献３】
特開２０００−１３８７１７号公報。
【０００８】
【発明が解決しようとする課題】
ところが、上記ネットワークシステムでは、ＤＳＳキーに対応する他ノードの内線端末の状態を自ノードで把握する必要があるため、他ノードへＬＡＮを介してアクセスする必要があり、その分ＬＡＮの負荷が高くなり、これによりデータ伝送に多くの時間を要すると共に、ＤＳＳキーの数の増加要求に容易に対応できなくなる。特に、システムの規模が大きくなればなるほど顕著となり非常に好ましくない。
【０００９】
そこで、この発明の目的は、内線端末の回線キーに対応する他ノードの内線の状態表示、他ノードの内線へのダイレクト着信、着信転送等の付加的なサービスを、リアルタイムに効率良く実現できるようにし、かつ回線キー数の増加要求にも容易に対応できるようにした交換ネットワークシステム及びその電話交換装置を提供することにある。
【００１０】
【課題を解決するための手段】
この発明は、上記目的を達成するために、以下のように構成される。
（１）終端に内線端末を接続できる少なくとも１つの内線を収容する２以上の電話交換装置と、複数の電話交換装置間を接続し、リアルタイム性が要求される第１の信号を伝送する第１の信号伝送路と、この第１の信号伝送路とは独立して複数の電話交換装置間を接続し、第１の信号に比べてリアルタイム性が要求されない第２の信号を伝送する第２の信号伝送路とを具備し、複数の電話交換装置の各々は、自装置に収容される全内線端末のうち少なくとも一部を指定する複数の操作キー及びこれら操作キーそれぞれに対応する内線端末の動作状態を示す第１の状態情報、及び他装置に収容される全内線端末のうち少なくとも一部を指定する複数の操作キー及びこれら操作キーそれぞれに対応する内線端末の動作状態を示す第２の状態情報を記録媒体に記憶する記憶手段と、自装置に収容される全内線端末の動作状態変化を検出する状態変化検出手段と、この状態変化検出手段による検出結果に基づいて、記録媒体中の第１の状態情報の記憶内容を更新する第１の更新手段と、他の複数の電話交換装置に対し第１の更新手段により更新された記録媒体中の第１の状態情報を第２の信号として第２の信号伝送路を介して送信する状態情報送信手段と、他の電話交換装置から第２の信号伝送路を介して送られた第２の状態情報を受信する受信手段と、この受信手段による受信結果に基づいて、記録媒体中の第２の状態情報の記憶内容を更新する第２の更新手段とを備えるようにしたものである。
【００１１】
（１）の発明によれば、自電話交換装置から他電話交換装置へ第２の信号伝送路を介して送信されるデータは自電話交換装置内で更新された第１の状態情報のみとなり、また、他電話交換装置から第２の信号伝送路を介して送られた第２の状態情報に基づいて、記録媒体中の第２の状態情報の登録内容が更新される。従って、第２の信号伝送路を各電話交換装置で共用する場合に有効に利用でき、しかも他の電話交換装置へアクセスすることなく、記録媒体に蓄積管理された第２の状態情報を用いて簡単な手順で他の電話交換装置の各内線端末の状態に応じた適切な付加サービス処理を行うことができ、その分電話交換装置の処理負荷を低く抑えることができる。これにより、操作キー数の増加要求にも容易に対応できる。
【００１２】
（２）状態情報送信手段は、第１の更新手段により記録媒体中の第１の状態情報が更新された時点で、該第１の状態情報を送信することを特徴とする。
（２）の発明によれば、自電話交換装置において、他の電話交換装置の内線端末の状態情報が更新されるごとに、その更新情報を常にタイムリーに取得することができる。
【００１３】
（３）状態情報送信手段は、第１の更新手段により記録媒体中の第１の状態情報が更新された時点で、他の複数の電話交換装置に対し該第１の状態情報を第２の信号伝送路を介して送信する第１の送信モードと、所定時間ごとに他の複数の電話交換装置に対し第２の状態情報の取得要求を第２の信号伝送路を介して送信する第２の送信モードと、所定の条件に応じて、第１及び第２の送信モードを選択的に実行させるモード選択制御手段とを備えたことを特徴とする。なお、モード選択制御手段は、所定の条件の判断に第２の信号伝送路の単位時間当たりの伝送情報量を用いる。
【００１４】
（３）の発明によれば、第２の信号伝送路の状態に応じて送信モードを設定しておくことで、通常状態の場合に更新されるごとに第１の状態情報を即時送信し、一方第２の信号伝送路が混雑している場合に所定時間経過するのを待って第２の状態情報の取得要求を送信するというように、第２の信号伝送路の状態に応じて最適な状態情報送信を行うことができる。
【００１５】
（４）第２の信号伝送路を伝送する第２の信号は、ＵＤＰ（Ｕｓｅｒ  Ｄａｔａｇｒａｍ  Ｐｒｏｔｏｃｏｌ）で規定される信号であることを特徴とする。
（４）の発明によれば、例えばＴＣＰ／ＩＰのように、通信の信頼性を高めるための再送やフロー制御等の複雑な処理を行う必要がなく、これにより第２の信号伝送路の負荷及び電話交換装置の処理負荷を軽減できる。
【００１６】
【発明の実施の形態】
以下、この発明の実施形態について図面を参照して詳細に説明する。
図１は、この発明に係わる交換ネットワークシステムを示す概略構成図である。
このシステムは、同図に示すように、ボタン電話主装置ＢＴ１〜ＢＴ４を備え、これらボタン電話主装置ＢＴ１〜ＢＴ４相互間を通信チャネル（Ｂｃｈ）及び制御チャネル（Ｄｃｈ）を有するデジタル専用線ＰＮ（ＰＮ１−２，ＰＮ１−３，ＰＮ２−３，ＰＮ３−４）で接続している。これらボタン電話主装置ＢＴ１〜ＢＴ４は、それぞれ内線端末Ｔ１１〜Ｔ１ｉ，Ｔ２１〜Ｔ２ｍ，Ｔ３１，Ｔ４１〜Ｔ４ｋを内線を介して収容している。また、ボタン電話主装置ＢＴ１，ＢＴ４は公衆網ＮＷ１，ＮＷ２に局線Ｌを介して接続されている。
また、ボタン電話主装置ＢＴ１〜ＢＴ４は、ＬＡＮ（Ｌｏｃａｌ  Ａｒｅａ  Ｎｅｔｗｏｒｋ）１に接続されている。
【００１７】
次に、上記ボタン電話主装置ＢＴ１〜ＢＴ４の具体的構成について図２を参照して詳細に説明する。なお、ここでは、ボタン電話主装置ＢＴ１を代表して説明する。
ボタン電話主装置ＢＴ１は、局線インタフェースユニット１１と、内線インタフェースユニット１２と、デジタル専用線インタフェースユニット１３と、制御ユニット１４とを備え、これらは音声バス１５及び制御バス１６を介して相互に接続されている。
【００１８】
局線インタフェースユニット１１には、局線Ｌが必要に応じて接続される。局線インタフェースユニット１１は、接続された局線Ｌに関する局線インタフェース動作を行なう。局線インタフェース動作とは、公衆網ＮＷへの発信信号の送信や公衆網ＮＷからの着信信号の検出などである。また、局線インタフェースユニット１１は、上記局線インタフェース動作に係わる種々の制御情報の授受を、制御バス１６を介して制御ユニット１４との間で行なう。
【００１９】
内線インタフェースユニット１２には、複数の内線が必要に応じて接続される。内線インタフェースユニット１２は、接続された内線に関する内線インタフェース動作を行なう。内線インタフェース動作は、各内線への着信信号の送出や各内線からの発信信号の検出などである。また、内線インタフェースユニット１２は、上記内線インタフェース動作に係わる種々の制御情報の授受を、制御バス１６を介して制御ユニット１４との間で行なう。
【００２０】
デジタル専用線インタフェースユニット１３には、デジタル専用線ＰＮが必要に応じて接続される。デジタル専用線インタフェースユニット１３は、接続されたデジタル専用線ＰＮに関するデジタル専用線インタフェース動作を行なう。デジタル専用線インタフェース動作は、デジタル専用線ＰＮへの発信信号の送信やデジタル専用線ＰＮからの着信信号の検出などである。また、デジタル専用線インタフェースユニット１３は、上記デジタル専用線インタフェース動作に係わる種々の制御情報の授受を、制御バス１６を介して制御ユニット１４との間で行なう。
【００２１】
制御ユニット１４は、サブ制御部１４１と、主制御部１４２と、記憶部１４３と、タイムスイッチ１４４と、ＬＡＮインタフェース部（ＬＡＮ  Ｉ／Ｆ）１４５とを備える。このうち、サブ制御部１４１、主制御部１４２、記憶部１４３及びＬＡＮインタフェース部１４５はマイコンバス１４６を介して相互に接続されている。タイムスイッチ１４４は、主制御部１４２に直接接続されている。また、主制御部１４２には、タイマ１４７が接続されている。
【００２２】
サブ制御部１４１は、制御バス１６とマイコンバス１４６との間での制御情報の授受を行なう。主制御部１４２は、記憶部１４３に記憶された制御プログラム及び制御データに基づいて、ボタン電話主装置ＢＴ１内の全体の制御を実行する。記憶部１４３は、主制御部１４２が処理を実行するための制御プログラムや制御データを記憶するものであり、特に交換動作の際の各種データ等が記憶される。
【００２３】
タイムスイッチ１４４は、主制御部１４２の指示に従い、上記局線インタフェースユニット１１と、内線インタフェースユニット１２と、デジタル専用線インタフェースユニット１３との間で音声バス１５を介して伝送されるデジタル信号のチャネル交換を行なう。
ＬＡＮインタフェース部１４５は、マイコンバス１４６とＬＡＮ１との間の制御情報の授受に係わるインタフェース処理を行う。
【００２４】
ところで、この実施形態では、記憶部１４３に、ノード情報管理テーブル１４３１が設けられている。ノード情報管理テーブル１４３１には、図３に示すように、自装置に接続される内線端末Ｔ１１〜Ｔ１ｉの内線番号情報の他に、ボタン電話主装置ＢＴ２〜ＢＴ４にそれぞれ接続されるＴ２１〜Ｔ２ｍ，Ｔ３１，Ｔ４１〜Ｔ４ｋの内線番号と、内線端末Ｔ１１〜Ｔ１ｉ，Ｔ２１〜Ｔ２ｍ，Ｔ３１，Ｔ４１〜Ｔ４ｋの状態と、ＤＳＳキーの内線端末とキー情報群との対応関係を表すデータが格納されている。
【００２５】
また、主制御部１４２は、状態変化検出部１４２１と、ローカル情報更新部１４２２と、送信部１４２３と、受信部１４２４と、他ノード情報更新部１４２５とを備えている。状態変化検出部１４２１は、ボタン電話主装置ＢＴ１に収容される全内線端末Ｔ１１〜Ｔ１ｉの動作状態の変化を検出する。
【００２６】
ローカル情報更新部１４２２は、上記状態変化検出部１４２１による検出結果に基づいて、各内線端末Ｔ１１〜Ｔ１ｉの動作状態に変化があった場合に、ノード情報管理テーブル１４３１中の変化のあった内線端末Ｔ１１〜Ｔ１ｉに対応する状態情報を、「空き」から「通話中」に、または「通話中」から「空き」に更新する。「空き」から「呼出中」に、または「呼出中」から「空き」、さらには「呼出中」から「通話中」に更新する。
【００２７】
送信部１４２３は、ノード情報管理テーブル１４３１中の変化のあった内線端末Ｔ１１〜Ｔ１ｉに対応する状態情報が更新された場合に、その更新された状態情報を含むローカル情報をＵＤＰプロトコルで規定される信号フォーマットに変換し、ＬＡＮ１を介して送信する通常送信モードを有する。また、送信部１４２３は、タイマ１４７にセットされた時間間隔ごとに他のボタン電話主装置ＢＴ２〜ＢＴ４に対し内線端末Ｔ２１〜Ｔ２ｍ，Ｔ３１，Ｔ４１〜Ｔ４ｋそれぞれの状態を示すローカル情報の取得要求をＵＤＰプロトコルで規定される信号フォーマットに変換し、ＬＡＮ１を介して送信する定期送信モードを有する。そして、ＬＡＮ１の単位時間当たりの伝送情報量を測定し、この測定値が予め設定されたしきい値未満である場合に、通常送信モードを実行させるようにし、しきい値以上である場合に、定期送信モードを実行させるようにする。なお、ＬＡＮ１の伝送情報量の測定手法としては、例えば単位時間当たりに状態変化のあった内線端末の台数をカウントする手法等がある。
【００２８】
受信部１４２４は、他のボタン電話主装置ＢＴ２〜ＢＴ４からＬＡＮ１を介して送られたローカル情報を受信する。
他ノード情報更新部１４２５は、上記受信部１４２４により受信されたローカル情報に基づいて、ノード情報管理テーブル１４３１中の内線端末Ｔ２１〜Ｔ２ｍ，Ｔ３１，Ｔ４１〜Ｔ４ｋそれぞれの状態情報の記憶内容を更新する。
【００２９】
次に、以上のように構成されたシステムの動作について説明する。
図４は、例えばボタン電話主装置ＢＴ１と、ボタン電話主装置ＢＴ２と、ボタン電話主装置ＢＴ３との間における情報の送受信動作を示すシーケンス図である。
いま例えば内線端末Ｔ１１の動作状態が、待ち受け状態から呼出し状態に変化したとする。そうするとボタン電話主装置ＢＴ１は、この内線端末Ｔ１１の状態変化を認識し、ノード情報管理テーブル１４３１中の内線端末Ｔ１１に対応する状態を「空き」から「呼出し中」に更新すると共に、この内線端末Ｔ１１の内線電話番号とその更新された「呼出し中」を含む状態情報をボタン電話主装置ＢＴ２，ＢＴ３に対しＬＡＮ１を介して送信する。
【００３０】
また、例えば内線端末Ｔ２１の動作状態が、待ち受け状態から通話状態に変化したとする。そうするとボタン電話主装置ＢＴ２は、この内線端末Ｔ２１の状態変化を認識し、ノード情報管理テーブル１４３１中の内線端末Ｔ２１に対応する状態を「空き」から「通話中」に更新すると共に、この内線端末Ｔ２１の内線電話番号とその更新された「通話中」を含む状態情報をボタン電話主装置ＢＴ１，ＢＴ３に対しＬＡＮ１を介して送信する。
【００３１】
状態情報を受信したボタン電話主装置ＢＴ３は、ノード情報管理テーブル１４３１に関連付けたネットワークＤＮ毎に内線状態を更新し、関連付けたＤＳＳキーのＬＥＤ（Ｌｉｇｈｔ  Ｅｍｉｔｔｉｎｇ  Ｄｉｏｄｅ）に内線状態を表示する。
【００３２】
なお、上記処理において、ボタン電話主装置ＢＴ４に対してもボタン電話主装置ＢＴ１，ＢＴ２，ＢＴ３と同様な処理手順が実行される。
【００３３】
図５は、ボタン電話主装置ＢＴ１の動作手順とその内容を示すフローチャートである。
ボタン電話主装置ＢＴ１の主制御部１４２は、ＬＡＮ１の単位時間当たりの伝送情報量を測定し（ステップＳＴ５ａ）、この測定値がしきい値以上であるか否かの判断を行う（ステップＳＴ５ｂ）。
【００３４】
ここで、測定値がしきい値未満であるならば（Ｎｏ）、主制御部１４２は通常送信モードに移行し、各内線端末Ｔ１１〜Ｔ１ｉについての動作状態を監視し（ステップＳＴ５ｃ）、状態変化があったか否かの判定を行う（ステップＳＴ５ｄ）。そして、変化があった場合に、主制御部１４２はノード情報管理テーブル１４３１中の変化の生じた内線端末Ｔ１１〜Ｔ１ｉの状態情報の更新を行い（ステップＳＴ５ｅ）、この更新された状態情報を含むローカル情報を他のボタン電話主装置ＢＴ２に対しＬＡＮ１を介して送信する（ステップＳＴ５ｆ）。
【００３５】
一方、上記ステップＳＴ５ｂにおいて測定値がしきい値以上であるならば（Ｙｅｓ）、主制御部１４２は通常送信モードに移行し、各内線端末Ｔ１１〜Ｔ１ｉについての動作状態を監視し（ステップＳＴ５ｇ）、状態変化があったか否かの判定を行う（ステップＳＴ５ｈ）。
【００３６】
そして、変化があった場合に、主制御部１４２はノード情報管理テーブル１４３１中の変化の生じた内線端末Ｔ１１〜Ｔ１ｉの状態情報の更新を行う（ステップＳＴ５ｉ）。
【００３７】
続いて主制御部１４２は、タイマ１４７が他のボタン電話主装置ＢＴ２に対するローカル情報の取得要求時刻、つまり送信時刻を計時したか否かの監視を行い（ステップＳＴ５ｊ）、送信時刻を計時するまで上記ステップＳＴ５ｇ乃至ステップＳＴ５ｊの処理を繰り返し実行する。そして、送信時刻になった時点で（Ｙｅｓ）、主制御部１４２は状態情報の取得を要求すべく内線端末Ｔ２１〜Ｔ２ｍのリストを作成し、このリストをもとにＤＳＳＲパケットを作成し（ステップＳＴ５ｋ）、このＤＳＳＲパケットをボタン電話主装置ＢＴ２に向けて送信する（ステップＳＴ５ｌ）。
【００３８】
これに対し、ボタン電話主装置ＢＴ２は図６に示す制御処理を開始する。
ボタン電話主装置ＢＴ２の主制御部１４２はＤＳＳＲパケットの到来を監視し（ステップＳＴ６ａ）、ＤＳＳＲパケットを受信すると（Ｙｅｓ）、ノード情報管理テーブル１４３１を参照し、該当する内線端末Ｔ２１〜Ｔ２ｍそれぞれの状態情報を含むＤＳＳＡパケット、つまり応答パケットを作成し（ステップＳＴ６ｂ）、このＤＳＳＡパケットを要求元であるボタン電話主装置ＢＴ１に対しＬＡＮ１を介して送信する（ステップＳＴ６ｃ）。
【００３９】
続いて、ボタン電話主装置ＢＴ２の主制御部１４２は、内線端末Ｔ２１〜Ｔ２ｍの動作状態が変化するごとに該当する内線端末Ｔ２１〜Ｔ２ｍそれぞれの状態情報を含むＤＳＳＮパケットを作成し（ステップＳＴ６ｄ）、このＤＳＳＮパケットを要求元であるボタン電話主装置ＢＴ１に対しＬＡＮ１を介して送信する（ステップＳＴ６ｅ）。
【００４０】
一方、上記ステップＳＴ６ａにおいてＤＳＳＲパケット以外の受信であるならば（Ｎｏ）、主制御部１４２は他ノードであるボタン電話主装置ＢＴ１からのローカル情報の受信であるか否かの判断を行い（ステップＳＴ６ｆ）、ローカル情報であるならば（Ｙｅｓ）、このローカル情報に含まれる内線端末Ｔ１１〜Ｔ１ｉそれぞれの状態情報に基づき、ノード情報管理テーブル１４３１中の該当する内線端末Ｔ１１〜Ｔ１ｉそれぞれの状態情報を更新する（ステップＳＴ６ｇ）。
なお、上記ＤＳＳＡパケット及びＤＳＳＮパケットを受信したボタン電話主装置ＢＴ１は、上記ステップＳＴ６ｆ及びステップＳＴ６ｇの処理と同様の処理を実行する。また、ボタン電話主装置ＢＴ３，ＢＴ４についても、上記処理手順と同様の手順が実行される。
【００４１】
かくして、ボタン電話主装置ＢＴ４の内線端末Ｔ４５（内線番号５０１）のユーザは、図７に示す如く、内線端末Ｔ４２（内線番号２０２）に対応するＤＳＳキーのＬＥＤを見て内線端末Ｔ４２の動作状態を知ることができるとともに、内線端末Ｔ２１（内線番号２１２００）に対応するＤＳＳキーのＬＥＤを見て内線端末Ｔ２１の動作状態を知ることができる。
【００４２】
また、ボタン電話主装置ＢＴ４の内線端末Ｔ４６（内線番号５０２）のユーザは、内線端末Ｔ４２（内線番号２０２）に対応するＤＳＳキーのＬＥＤを見て内線端末Ｔ４２の動作状態を知ることができるとともに、ボタン電話主装置ＢＴ２の内線端末Ｔ２１（内線番号２１２００）に対応するＤＳＳキーのＬＥＤを見て内線端末Ｔ２１の動作状態を知ることができ、ボタン電話主装置ＢＴ１の内線端末Ｔ１１（内線番号１０２００）に対応するＤＳＳキーのＬＥＤを見て内線端末Ｔ１１の動作状態を知ることができる。
【００４３】
以上のように上記実施形態では、通常送信モードにおいて、ボタン電話主装置ＢＴ１からボタン電話主装置ＢＴ２〜ＢＴ４へＬＡＮ１を介して送信されるデータは状態変化のあった内線端末Ｔ１１〜Ｔ１ｉの状態情報のみとなり、また、ボタン電話主装置ＢＴ１において、ボタン電話主装置ＢＴ２からＬＡＮ１を介して送られた内線端末Ｔ２１〜Ｔ２ｍ，Ｔ３１，Ｔ４１〜Ｔ４ｋそれぞれの状態情報に基づき、ノード情報管理テーブル１４３中の内線端末Ｔ２１〜Ｔ２ｍ，Ｔ３１，Ｔ４１〜Ｔ４ｋに該当する状態情報の登録内容が更新される。
【００４４】
従って、ＬＡＮ１を各ボタン電話主装置ＢＴ１〜ＢＴ４で共用する場合に有効に利用でき、これによりＬＡＮ１の負荷を軽減でき、しかもボタン電話主装置ＢＴ１において、他のボタン電話主装置ＢＴ２〜ＢＴ４へアクセスすることなく、ノード情報管理テーブル１４３に蓄積管理された各内線端末Ｔ２１〜Ｔ２ｍ，Ｔ３１，Ｔ４１〜Ｔ４ｋに関する状態情報を用いて簡単な手順で他のボタン電話主装置ＢＴ２〜ＢＴ４の各内線端末Ｔ２１〜Ｔ２ｍ，Ｔ３１，Ｔ４１〜Ｔ４ｋの状態に応じた適切な付加サービス処理を行うことができ、その分ボタン電話主装置ＢＴ１の処理負荷を低く抑えることができる。これにより、ＤＳＳキー数の増加要求にも容易に対応できる。
【００４５】
また、上記実施形態によれば、ボタン電話主装置ＢＴ１において、通常送信モード時に、他のボタン電話主装置ＢＴ２〜ＢＴ４の内線端末Ｔ２１〜Ｔ２ｍ，Ｔ３１，Ｔ４１〜Ｔ４ｋそれぞれの状態情報が更新されるごとに、その更新された状態情報をタイムリーに取得することができる。
【００４６】
また、上記実施形態では、ボタン電話主装置ＢＴ１において、ＬＡＮ１の状態に応じて送信モードを設定しておくことで、通常状態の場合に内線端末Ｔ１１〜Ｔ１ｉそれぞれの状態情報が更新されるごとにこれら状態情報を他のボタン電話主装置ＢＴ２〜ＢＴ４に対し即時送信し、一方ＬＡＮ１が混雑している場合に一定時間経過するのを待って他のボタン電話主装置ＢＴ２〜ＢＴ４の内線端末Ｔ２１〜Ｔ２ｍ，Ｔ３１，Ｔ４１〜Ｔ４ｋそれぞれの状態情報の取得要求を送信するというように、ＬＡＮ１の状態に応じて最適な状態情報送信を行うことができる。また、切替条件としてＬＡＮ１の通信トラフィック以外にも、日時情報等を用いるようにしてもよい。
【００４７】
さらに、上記実施形態によれば、ボタン電話主装置ＢＴ１〜ＢＴ４間のＬＡＮ１上の情報送受信をＵＤＰプロトコルに従って行うことにより、例えばＴＣＰ／ＩＰ（Ｔｒａｎｓｍｉｓｓｉｏｎ  Ｃｏｎｔｒｏｌ  Ｐｒｏｔｏｃｏｌ  ／Ｉｎｔｅｒｎｅｔ  Ｐｒｏｔｏｃｏｌ）のように、通信の信頼性を高めるための再送やフロー制御等の複雑な処理を行う必要がなく、これによりＬＡＮ１の負荷及びボタン電話主装置ＢＴ１〜ＢＴ４の処理負荷を軽減できる。
【００４８】
なお、この発明は、上記実施形態に限定されるものではない。上記実施形態では、通常送信モードと、定期送信モードとの両方を備え、ＬＡＮ１の通信トラフィックに従いこれらのモードを選択的に動作させる例について説明した。しかし、これに限定されるものではなく、通常送信モードのみを備えるものであってもよい。
【００４９】
また、上記実施形態では、ボタン電話主装置間をデジタル専用線及びＬＡＮで接続する例について説明した。しかし、これに限ることなく、ボタン電話主装置間をリアルタイム性が要求される信号を伝送するための伝送路と、リアルタイム性に余裕がある信号を伝送するための伝送路とにより接続するものであってもよい。
【００５０】
また、上記実施形態では、ボタン電話主装置間をデジタル専用線で接続したネットワークシステムを例に説明したが、これ以外に例えばＩＰ電話システムにも適用可能である。
さらに、上記実施形態では、ボタン電話主装置に収容される全内線端末の状態変化を監視する例について説明したが、その全内線端末のうちのＤＳＳキーに対応する一部の内線端末の状態変化を監視するようにしてもよい。
【００５１】
その他、システム構成や、ボタン電話主装置の種類やその構成、内線端末の種類、情報の送受信手順、各制御の制御手順とその内容等についてもこの発明の要旨を逸脱しない範囲で種々変形して実施できる。
【００５２】
【発明の効果】
以上詳述したようにこの発明によれば、内線端末の回線キーに対応する他ノードの内線の状態表示、他ノードの内線へのダイレクト着信、着信転送等の付加的なサービスを、リアルタイムに効率良く実現できるようにし、かつ回線キー数の増加要求にも容易に対応できるようにした交換ネットワークシステム及びその電話交換装置を提供することができる。
【図面の簡単な説明】
【図１】この発明の一実施形態に係わる交換ネットワークシステムを示す概略構成図。
【図２】図１に示したボタン電話主装置の具体的構成を示すブロック図。
【図３】図２に示したノード情報管理テーブルの記憶内容の一例を示す図。
【図４】同実施形態におけるボタン電話主装置間の情報の送受信動作を示すシーケンス図。
【図５】自ノードのローカル情報またはＤＳＳＲパケットを送信する際のボタン電話主装置の動作手順とその内容を示すフローチャート。
【図６】自ノードのローカル情報またはＤＳＳＲパケットを受信した際のボタン電話主装置の動作手順とその内容を示すフローチャート。
【図７】同実施形態における内線端末におけるＤＳＳキーと内線端末との対応関係を表すシーケンス図。
【符号の説明】
１…ＬＡＮ（Ｌｏｃａｌ  Ａｒｅａ  Ｎｅｔｗｏｒｋ）、１１…局線インタフェースユニット、１２…内線インタフェースユニット、１３…デジタル専用線インタフェースユニット、１４…制御ユニット、１５…音声バス、１６…制御バス、１４１…サブ制御部、１４２…主制御部、１４３…記憶部、１４４…タイムスイッチ、１４５…ＬＡＮインタフェース部、１４６…マイコンバス、１４７…タイマ、１４２１…状態変化検出部、１４２２…ローカル情報更新部、１４２３…送信部、１４２４…受信部、１４２５…他ノード情報更新部、１４３１…ノード情報管理テーブル、ＢＴ１〜ＢＴ４…ボタン電話主装置、ＰＮ…デジタル専用線、Ｔ１１〜Ｔ１ｉ，Ｔ２１〜Ｔ２ｍ，Ｔ３１，Ｔ４１〜Ｔ４ｋ…内線端末，Ｌ…局線、ＮＷ１，ＮＷ２…公衆網。
【図１】
2004274392.tif 000003
【図２】
2004274392.tif 000004
【図３】
2004274392.tif 000005
【図４】
2004274392.tif 000006
【図５】
2004274392.tif 000007
【図６】
2004274392.tif 000008
【図７】
2004274392.tif 000009